(57)【要約】【課題】処理結果を容易に認知することができるデータ処理装置を得る。【解決手段】第１のファイル名３２におけるマウスカーソル４０の位置に応じて処理の程度を変える。第１の設定が、画像を回転する処理を行う設定であるとき、第１のファイル名３２におけるマウスカーソル４０の位置に応じて、画像を回転させる程度、すなわち角度が変更される。マウスカーソル４０が第１のファイル名３２の「ｓ」に置かれているとき、画像は回転されない。マウスカーソル４０が第１のファイル名３２の「ｇ」に置かれているとき、画像は時計回りに９０度回転される。９０度は、画像を回転させる程度の最大値であり、第１の設定により予め定められる。マウスカーソル４０が置かれた文字が左から数えてｎ番目であるとき、画像を回転する角度θ（度）はθ＝９０×ｎ／Ｎにより求められる。Ｎは第１のファイル名３２の文字数であり、１２である。【選択図】図３
2011170780.tif 000002
【特許請求の範囲】
【請求項１】
ファイルのサムネールを表示する表示部と、
前記サムネールを表示している前記表示部上において任意の点を選択する選択部と、
前記表示部上における前記選択された点の位置に基づいて、前記表示部に表示されているサムネールに第１の処理を施し、第１の処理済サムネールを作成する処理部とを備え、
前記表示部は、前記選択部が任意の点を選択したとき、前記第１の処理済サムネールを今まで表示していたサムネールに代えて表示するデータ処理装置。
【請求項２】
前記表示部は、サムネールに加えてファイル名称を表示し、
前記選択部は、前記表示部上において前記ファイル名称を表示する範囲から任意の点を選択する請求項１に記載のデータ処理装置。
【請求項３】
前記表示部は、サムネールに加えてファイル名称を表示し、
前記選択部は、前記表示部上において前記サムネールを表示する範囲から任意の点を選択する請求項１に記載のデータ処理装置。
【請求項４】
前記表示部は、サムネールに加えてファイル名称を表示し、
前記選択部は、前記表示部上において前記サムネール及び前記ファイル名称を表示する範囲から任意の点を選択する請求項１に記載のデータ処理装置。
【請求項５】
前記表示部は、サムネールに加えてファイルに関する情報を表示し、
前記選択部は、前記表示部上において前記サムネール及び前記ファイルに関する情報を表示する範囲から任意の点を選択する請求項１に記載のデータ処理装置。
【請求項６】
前記選択部は、任意の点を選択するときに操作されうる第１の修飾部をさらに備え、
前記処理部は、前記選択部が任意の点を選択するときに前記第１の修飾部が操作されたとき、第１の処理済サムネールを作成せず、前記表示部は今まで表示していたサムネールを表示する請求項１に記載のデータ処理装置。
【請求項７】
前記選択部は、任意の点を選択するときに操作されうる第２の修飾部をさらに備え、
前記処理部は、前記選択部が任意の点を選択するときに前記第２の修飾部が操作されたとき、前記第１の処理に換えて、前記第１の処理とは異なる第２の処理をサムネールに施して第２の処理済サムネールを作成し、
前記表示部は、前記選択部が任意の点を選択するときに前記第２の修飾部が操作されたとき、前記第２の処理済サムネールを今まで表示していたサムネールに代えて表示する請求項１に記載のデータ処理装置。
【請求項８】
前記選択部は、任意の点を選択するときに操作されうる第３の修飾部をさらに備え、
前記処理部は、前記選択部が任意の点を選択するときに前記第３の修飾部が操作されたとき、前記第１の処理に加えて、前記第１の処理とは異なる第３の処理をサムネールに施して第３の処理済サムネールを作成し、
前記表示部は、前記選択部が任意の点を選択するときに前記第３の修飾部が操作されたとき、前記第３の処理済サムネールを今まで表示していたサムネールに代えて表示する請求項１に記載のデータ処理装置。
【請求項９】
前記選択部は、前記表示部上に表示されるカーソルを移動させるマウスであって、
前記表示部上には、第１の軸及び第２の軸が仮想的に設けられ、
前記処理部は、第１の軸におけるカーソルの位置に応じて第１の処理を施し、第２の軸におけるカーソルの位置に応じて第２の処理を施す請求項８に記載のデータ処理装置。
【請求項１０】
前記選択部は、任意の点を選択する前に、前記範囲内において移動可能であって、
前記表示部は、前記範囲における前記選択部の位置に応じて、その位置が前記任意の点であるときに施される第１の処理または第２の処理の内容を表示する請求項１から９に記載のデータ処理装置。
【請求項１１】
前記表示部は、前記選択部が任意の点をさらに選択したとき、前記サムネールに対応するデータを編集可能にする請求項１から９に記載のデータ処理装置。
【発明の詳細な説明】
【技術分野】
【０００１】
本発明は、ファイルに施す処理の結果を処理前に表示可能なデータ処理装置に関する。
【背景技術】
【０００２】
データ処理装置として、例えば画像を補正する装置が知られている。このような装置は、画像を表示する表示部と、ユーザが操作する操作部とを有する。ユーザは、操作部を操作して、表示部に表示された画像を補整する。このとき、装置は、補正前の画像データに対して所定補正度での画像補正を施して、補正画像データを生成し、表示部に表示する。ユーザは補正画像データを参照しながら画像補整の補正度を決定する。装置は決定された補正度に従って補正された複数の補正画像データを表示部に表示する（特許文献１）。
【先行技術文献】
【特許文献】
【０００３】
【特許文献１】特開２００５−１９００９７号公報
【発明の概要】
【発明が解決しようとする課題】
【０００４】
しかし、従来の構成では、表示可能な補正画像データの数に限りがある。ユーザが多種の補正度に応じて生成された複数の補正画像データを同時に参照することができない。
【０００５】
本発明はこれらの問題に鑑みてなされたものであり、処理結果を容易に認知することができるデータ処理装置を得ることを目的とする。
【課題を解決するための手段】
【０００６】
本願発明によるデータ処理装置は、ファイルのサムネールを表示する表示部と、サムネールを表示している表示部上において任意の点を選択する選択部と、表示部上における選択された点の位置に基づいて、表示部に表示されているサムネールに第１の処理を施し、第１の処理済サムネールを作成する処理部とを備え、表示部は、選択部が任意の点を選択したとき、第１の処理済サムネールを今まで表示していたサムネールに代えて表示することを特徴とする。ファイルは、フォルダを含む概念であり、ファイルのサムネールは、フォルダのアイコンに相当する。
【０００７】
表示部は、サムネールに加えてファイル名称を表示し、選択部は、表示部上においてファイル名称を表示する範囲から任意の点を選択することが好ましい。
【０００８】
表示部は、サムネールに加えてファイル名称を表示し、選択部は、表示部上においてサムネールを表示する範囲から任意の点を選択することが好ましい。
【０００９】
表示部は、サムネールに加えてファイル名称を表示し、選択部は、表示部上においてサムネール及びファイル名称を表示する範囲から任意の点を選択することが好ましい。
【００１０】
表示部は、サムネールに加えてファイルに関する情報を表示し、選択部は、表示部上においてサムネール及びファイルに関する情報を表示する範囲から任意の点を選択することが好ましい。
【００１１】
選択部は、任意の点を選択するときに操作されうる第１の修飾部をさらに備え、処理部は、選択部が任意の点を選択するときに第１の修飾部が操作されたとき、第１の処理済サムネールを作成せず、表示部は今まで表示していたサムネールを表示することが好ましい。
【００１２】
選択部は、任意の点を選択するときに操作されうる第２の修飾部をさらに備え、処理部は、選択部が任意の点を選択するときに第２の修飾部が操作されたとき、第１の処理に換えて、第１の処理とは異なる第２の処理をサムネールに施して第２の処理済サムネールを作成し、表示部は、選択部が任意の点を選択するときに第２の修飾部が操作されたとき、第２の処理済サムネールを今まで表示していたサムネールに代えて表示することが好ましい。
【００１３】
選択部は、任意の点を選択するときに操作されうる第３の修飾部をさらに備え、処理部は、選択部が任意の点を選択するときに第３の修飾部が操作されたとき、第１の処理に加えて、第１の処理とは異なる第３の処理をサムネールに施して第３の処理済サムネールを作成し、表示部は、選択部が任意の点を選択するときに第３の修飾部が操作されたとき、第３の処理済サムネールを今まで表示していたサムネールに代えて表示することが好ましい。
【００１４】
選択部は、表示部上に表示されるカーソルを移動させるマウスであって、表示部上には、第１の軸及び第２の軸が仮想的に設けられ、処理部は、第１の軸におけるカーソルの位置に応じて第１の処理を施し、第２の軸におけるカーソルの位置に応じて第２の処理を施すことが好ましい。
【００１５】
選択部は、任意の点を選択する前に、範囲内において移動可能であって、表示部は、範囲における選択部の位置に応じて、その位置が任意の点であるときに施される第１の処理または第２の処理の内容を表示することが好ましい。第１の処理または第２の処理の内容をツールチップを用いて表示することにより、ユーザに処理の内容を迅速に伝えうる。
【００１６】
表示部は、選択部が任意の点をさらに選択したとき、サムネールに対応するファイルを編集可能にすることが好ましい。
【発明の効果】
【００１７】
本発明によれば、処理結果を容易に認知することができるデータ処理装置を得る。
【図面の簡単な説明】
【００１８】
【図１】第１の実施形態のデータ処理装置を概略的に示す図である。
【図２】第１のフォルダウィンドウを示す図である。
【図３】第１のフォルダウィンドウを示す図である。
【図４】画像編集ソフトウェアの編集ウィンドウを示す図である。
【図５】編集履歴ペインを示す図である。
【図６】画像編集ソフトウェアの編集ウィンドウを示す図である。
【図７】第１の設定ウィンドウを示す図である。
【図８】第１のオンマウス処理を示すフローチャートである。
【図９】第２のフォルダウィンドウを示す図である。
【図１０】第２の設定ウィンドウを示す図である。
【図１１】編集履歴ペインを示す図である。
【図１２】編集履歴ペインを示す図である。
【図１３】第２のオンマウス処理を示すフローチャートである。
【図１４】第１のフォルダウィンドウを示す図である。
【図１５】第１のフォルダウィンドウを示す図である。
【図１６】第３の設定ウィンドウを示す図である。
【発明を実施するための形態】
【００１９】
以下、本発明による第１の実施形態について図面を参照して説明する。図１は、第１の実施形態によるデータ処理装置１０を概略的に示す図である。
【００２０】
データ処理装置１０は、表示部を構成する表示装置１２と処理部を構成するプロセッサ１１とを有する。選択部を構成するマウス１３及びキーボード１４がプロセッサ１１に接続される。
【００２１】
プロセッサ１１は、静止画ファイル、音声ファイル、動画ファイル、文書ファイルなどのファイルを記憶可能である。静止画ファイルは、例えばＪＰＥＧ、ＧＩＦ、ＢＭＰ、ＰＮＧ等のフォーマットにより作成された画像ファイルである。音声ファイルは、例えばＷＡＶ、ＭＰ３、ＷＭＡ、ＯＧＧ等のフォーマットにより作成される。動画ファイルは、例えばＭＰＥＧ、ＷＭＶ、ＡＶＩ等のフォーマットにより作成される。文書ファイルは、例えばテキストファイル、各種ワープロソフトウェアのフォーマットにより作成される。各ファイルは、フォルダ構造を用いてプロセッサ１１に記憶される。
【００２２】
表示装置１２は、プロセッサ１１に接続される。プロセッサ１１が記憶するファイルを表示装置１２が表示する。ユーザ１８はマウス１３及びキーボード１４を操作し、プロセッサ１１に情報を入力する。情報を受けたプロセッサ１１は、受けた情報に応じて動作する。
【００２３】
次に、図２を用いて表示装置１２について説明する。
【００２４】
ユーザ１８がマウス１３又はキーボード１４を用いてフォルダを開くと、プロセッサ１１は、開かれたフォルダに含まれるファイルを表示装置１２に表示させる。表示装置１２は、複数のウィンドウを表示可能である。ファイルを表示する第１のフォルダウィンドウ２０を図２に示す。
【００２５】
第１のフォルダウィンドウ２０は、第１のフォルダウィンドウ２０内の最上部に設けられる第１のタイトルバー２１と、第１のタイトルバー２１の下側に設けられるフォルダペイン２２と、フォルダペイン２２の右側に設けられる縦スクロールバー２３とを有する。
【００２６】
第１のタイトルバー２１は、第１のタイトルバー２１内の左端寄りに設けられるクローズボックス２５と、クローズボックス２５の右側に設けられるフォルダタイトル２４とを有する。ユーザ１８がマウス１３を用いてクローズボックス２５をクリックすると、第１のフォルダウィンドウ２０が閉じられる。フォルダタイトル２４は、第１のフォルダウィンドウ２０が開いているフォルダ名を表示する。
【００２７】
フォルダペイン２２は、静止画像を表示する。図２に示すフォルダペイン２２は、第１の静止画像３１と第２の静止画像３３を表示する。第１の静止画像３１は第１の静止画ファイルのサムネールであり、第２の静止画像３３は第２の静止画ファイルのサムネールである。第１の静止画像３１の直下には、第１の静止画ファイルの名称を表す第１のファイル名３２が表示され、第２の静止画像３３の直下には、第２の静止画ファイルの名称を表す第２のファイル名３４が表示される。
【００２８】
縦スクロールバー２３は、上スクロールアロー２７と、下スクロールアロー２８と、縦スクロールボックス２６とを有する。上スクロールアロー２７は縦スクロールバー２３の最上部に設けられ、下スクロールアロー２８は縦スクロールバー２３の最下部に設けられる。縦スクロールボックス２６は上スクロールアロー２７と下スクロールアロー２８との間に挟まれる。
【００２９】
ユーザ１８がマウス１３を用いて第１のファイル名３２の上にマウスカーソル４０を移動させると、ユーザ１８が予め定めた第１の設定に従って第１の静止画ファイルが画像処理される。そして、画像処理された画像のサムネールが第１の静止画像３１に代えて表示され、マウスカーソル４０の下にツールチップ４１が表示される（図３参照）。ツールチップ４１は、画像処理の程度を表す。画像処理からツールチップ４１の表示までの処理を第１のオンマウス処理という。第１の設定は、ファイルの種類ごとに定められる処理内容及び程度であって、詳細については後述する。このとき、キーボード１４に設けられたシフトキーをユーザ１８が押し下げると、画像処理された画像のサムネールに代えて第１の静止画像３１が表示される。このときに用いられるシフトキーをキャンセル用修飾キーとよぶ。第２のファイル名３４の上にマウスカーソル４０を移動させた場合にも、同様の処理が行われる。
【００３０】
第１のオンマウス処理は、第１のファイル名３２におけるマウスカーソル４０の位置に応じて処理の程度を変える。例えば、第１の設定が、マウスカーソル４０が第１のファイル名３２の上に載せられたときに画像を回転する処理を行う設定であるとき、第１のファイル名３２におけるマウスカーソル４０の位置に応じて、画像を回転させる程度、すなわち角度が変更される。マウスカーソル４０が第１のファイル名３２の「ｓ」に置かれているとき、画像は回転されない。マウスカーソル４０が第１のファイル名３２の「ｇ」に置かれているとき、画像は時計回りに９０度回転される。９０度は、画像を回転させる角度の最大値であり、第１の設定により予め定められる。マウスカーソル４０が置かれた文字が左から数えてｎ番目であるとき、画像を回転する角度θ（度）は以下の式により求められる。
θ＝９０×ｎ／Ｎ
ここで、Ｎは第１のファイル名３２の文字数であり、本実施形態では１２である。
【００３１】
ユーザ１８がマウス１３を用いて第１のファイル名３２をダブルクリックすると、画像編集ソフトウェアが起動される。画像編集ソフトウェアの編集ウィンドウ５０を図４に示す。図４は、図２に示す第１のファイル名３２において最も左に位置する「ｓ」をユーザ１８がダブルクリックしたときの編集ウィンドウ５０を示す。
【００３２】
編集ウィンドウ５０は、編集ウィンドウ５０内の最上部に設けられる第２のタイトルバー５１と、第２のタイトルバー５１の下側に設けられるメニューバー５２と、メニューバー５２の下側に設けられる画像ペイン５３及び編集履歴ペイン５４とを有する。
【００３３】
第２のタイトルバー５１は、第２のタイトルバー５１内の左端寄りに設けられるクローズボックス２５と、クローズボックス２５の右側に設けられる画像タイトル５６とを有する。クローズボックス２５は第１のフォルダウィンドウ２０に設けられるものと同様であるため、説明を省略する。画像タイトル５６は、画像編集ソフトウェアが開いている静止画ファイルの名称を表示する。メニューバー５２は、画像編集ソフトウェアが実行可能な処理を種類別に分けて示す。この種類には、ファイル操作を行う「ファイル」や画像処理を行う「補正」がある。
【００３４】
画像ペイン５３は、静止画像を表示する。図４に示す画像ペイン５３は、ユーザ１８がダブルクリックしたファイル名に対応する静止画ファイルのサムネールを表示する。
【００３５】
編集履歴ペイン５４は、ユーザ１８が静止画像に施した画像処理の履歴を表示する。編集履歴ペイン５４の右側には履歴スライダ５５が表示される。編集履歴ペイン５４の一例を図５に示す。静止画ファイルを開いたときは「ファイルオープン」、時計回りに９０度だけ静止画を回転する処理を行ったときは「回転  ９０度」、静止画を１．５倍に拡大する処理を行ったときは「拡大１．５倍」、そして画像を１５ピクセル単位でぼかす処理を行ったときは「ぼかし  １５ピクセル」を編集履歴ペイン５４が表示する。履歴は、編集履歴ペイン５４において上から下に向けて順に追加される。つまり、最も過去に行われた処理が一番上に表示され、最も新しく行われた処理が一番下に表示される。そして、最も新しく行われた処理の右横に履歴スライダ５５が表示される。ユーザ１８は、マウス１３又はキーボード１４を用いて履歴スライダ５５を上下に移動させることができる。履歴スライダ５５の位置に応じて、画像ペイン５３に表示されるサムネールが変化する。すなわち、最も過去に行われた処理から履歴スライダ５５が示す履歴までの処理が施された静止画像のサムネールが、画像ペイン５３に表示される。例えば、履歴スライダ５５が「拡大  １．５倍」の右横におかれた場合、ファイルオープン」、「回転  ９０度」、及び「拡大１．５倍」が施されたサムネールが表示される。
【００３６】
画像編集ソフトウェアは、第１のオンマウス処理により画像処理された画像のサムネールを画像ペイン５３に表示する。図６は、図３に示す第１のファイル名３２において最も右に位置する「ｇ」をユーザ１８がダブルクリックしたときの編集ウィンドウ５０を示す。前述のように第１のファイル名３２の「ｇ」にマウスカーソル４０をユーザ１８が移動させると、フォルダペイン２２に表示されている第１の静止画像３１が、第１の静止画ファイルを時計回りに９０度回転させて得られた画像のサムネールに変えられる。このとき、第１のファイル名３２の「ｇ」をユーザ１８がダブルクリックすると、画像編集ソフトウェアは、第１の静止画ファイルを時計回りに９０度回転させて得られた画像のサムネールを画像ペイン５３に表示する。そして、履歴スライダ５５は、上から順に「ファイルオープン」と「回転  ９０度」とを表示する。
【００３７】
次に、図７を用いて、第１の設定を定める第１の設定ウィンドウ６０について説明する。
【００３８】
ユーザ１８が所定の動作を行うと、第１の設定ウィンドウ６０が表示装置１２に表示される。第１の設定ウィンドウ６０は、静止画、音声、動画、及び文書に対する処理の内容及び程度を表示する。ユーザ１８は、マウスカーソル４０又はキーボード１４を用いて、所望の処理内容及び程度を選択する。
【００３９】
静止画ファイルにおける処理の内容及び程度について説明する。処理の内容は、「明るさ」、「コントラスト」、「カラーバランス・赤」、「カラーバランス・青」、「拡大／縮小」、「回転（時計回り）」、及び「切り抜き」である。「明るさ」は静止画の明るさを変更する処理である。「コントラスト」は、静止画のコントラストを変更する処理である。「カラーバランス・赤」は、静止画における赤色のカラーバランスを変更する処理であり、「カラーバランス・青」は、静止画における青色のカラーバランスを変更する処理である。「拡大／縮小」は、静止画を拡大または縮小する処理である。「回転（時計回り）」は、静止画を時計回りに回転する処理である。「切り抜き」は、静止画像の中心を基準として、静止画像の一部を切り取る処理である。処理の内容を表す文字列ごとに内容選択ラジオボタン６１が設けられる。内容選択ラジオボタン６１の１つを選択することにより、処理の内容をユーザ１８が選択する。
【００４０】
処理の程度は、最大値と処理特性によって決定される。ユーザ１８は最大値テキストボックス６２に所望の最大値を入力する。「拡大／縮小」における最大値の単位は％、「回転（時計回り）」における最大値の単位は度、そして「切り抜き」における最大値の単位はピクセルである。最大値テキストボックス６２に入力された値ｘに応じて、処理特性は、線形増加、線形減少、Ｓ字増加、Ｓ字減少、指数増加、及び指数減少の中から選択される。
【００４１】
処理特性が線形増加のとき、「明るさ」における処理の程度ｙｂは、以下の式により決定される。
ｙｂ＝ｘ・（ｎ−Ｎ／２）／Ｎ
ここで、ファイル名を頭から数えてｎ番目にマウスカーソル４０が置かれた文字があり、ファイル名の文字数をＮとする。
【００４２】
同様に、「コントラスト」における処理の程度ｙｃ、「拡大／縮小」における処理の程度ｙｚ％、「回転（時計回り）」における処理の程度ｙｒ度、「切り抜き」における処理の程度ｙｔピクセルは、以下の式により決定される。
ｙｃ＝ｘ・（ｎ−Ｎ／２）／Ｎ
ｙｚ＝ｘ・（ｎ−Ｎ／２）／Ｎ
ｙｒ＝ｘ・（ｎ−１）／（Ｎ−１）
ｙｔ＝ｘ・（ｎ−１）／（Ｎ／２）
以上の式をプロセッサ１１が記憶する。
【００４３】
処理特性ごとに特性選択ラジオボタン６３が設けられる。特性選択ラジオボタン６３の１つを選択することにより、処理特性をユーザ１８が選択する。図７では、処理内容に対して「回転（時計回り）」が、最大値に対して「９０度」、処理特性に対して「線形単調増加」がそれぞれ選択されている。
【００４４】
音声ファイルにおける処理の内容及び程度について説明する。静止画ファイル及び音声ファイルにおける処理の内容及び程度と同様の構成に関しては、説明を省略する。音声ファイルにおける処理の内容は、「エコー」、「ボリューム」、「ハイパスフィルタ」、「ローパスフィルタ」、及び「バンドパスフィルタ」である。「エコー」は、音声のエコーの長さを変更する処理である。エコーの長さの最大値は、１００分の１秒単位で最大値テキストボックス６２に入力される。「ボリューム」は音声の大きさを変更する処理である。音声ファイルに記録されている音声の大きさを１００として、所望の最大値が最大値テキストボックス６２に入力される。「ボリューム」における最大値の単位は％である。「ハイパスフィルタ」は、音声ファイルに記録されている音声から低音域を除去して高音域のみを残す処理である。閾値となる周波数の最大値が最大値テキストボックス６２に入力される。「ローパスフィルタ」は、音声ファイルに記録されている音声から高音域を除去して低音域のみを残す処理である。閾値となる周波数の最大値が最大値テキストボックス６２に入力される。「バンドパスフィルタ」は、音声ファイルに記録されている音声から所定の幅の周波数帯域のみを残し、他の帯域を除去する処理である。所定の幅は予め定められている。所定の幅における中央値の最大値が最大値テキストボックス６２に入力される。
【００４５】
処理特性が線形増加のとき、「エコー」における処理の程度ｙｅ、「ボリューム」における処理の程度ｙｖ％は、以下の式により決定される。
ｙｅ＝ｘ・ｎ／Ｎ
ｙｖ＝ｘ・ｎ／（Ｎ−１）
以上の式をプロセッサ１１が記憶する。
【００４６】
動画ファイルにおける処理の内容及び程度について説明する。静止画ファイルにおける処理の内容及び程度と同様の構成に関しては、説明を省略する。動画ファイルにおける処理の内容は、「明るさ」、「コントラスト」、「カラーバランス・赤」、「カラーバランス・青」、「エコー」、「ボリューム」、及び「バンドパスフィルタ」である。
【００４７】
文書ファイルにおける処理の内容及び程度について説明する。静止画ファイルにおける処理の内容及び程度と同様の構成に関しては、説明を省略する。文書ファイルにおける処理の内容は、「フォントサイズ」及び「用紙サイズ」である。「フォントサイズ」は、フォントの大きさを変更する処理である。フォントの大きさの最大値が最大値テキストボックス６２に入力される。「用紙サイズ」は文書の用紙の大きさを変更する処理である。ＪＩＳ規格により定められる用紙の名称、例えばＡ４、Ｂ１等を用いて、所望の最大値が最大値テキストボックス６２に入力される。
【００４８】
入力を完了すると、ユーザ１８はＯＫボタン６４をマウス１３でクリックし、設定を第１の設定としてプロセッサ１１に保存する。その後、第１の設定ウィンドウ６０が閉じられる。キャンセルボタン６５をマウス１３でクリックすると、設定が破棄され、第１の設定ウィンドウ６０が閉じられる。
【００４９】
次に、図８を用いて第１のオンマウス処理について説明する。第１のオンマウス処理は、フォルダが開かれたときに実行される。
【００５０】
ステップＳ８０１では、マウスカーソル４０がファイル名の上に置かれているか否かを判断する。ファイル名の上に置かれているとき、処理はステップＳ８０２に進み、置かれていないときはステップＳ８０１を再度実行する。
【００５１】
ステップＳ８０２では、キャンセル用修飾キーが押し下げられているか否かを判断する。押し下げられているとき、処理はステップＳ８０３に進み、ないときはステップＳ８０１を再度実行する。
【００５２】
ステップＳ８０３では、マウスカーソル４０が置かれているファイル名に対応するファイルが、第１のオンマウス処理の対象であるか否かを判断する。第１のオンマウス処理は、第１の設定において処理手段を定めたファイル、すなわち静止画ファイル、音声ファイル、動画ファイル、及び文書ファイルを処理の対象とする。第１のオンマウス処理の対象であるとき、処理はステップＳ８０４に進み、ないときはステップＳ８０１を再度実行する。
【００５３】
ステップＳ８０４では、マウスカーソル４０が置かれているファイル名に対応する処理内容及び程度をプロセッサ１１から読み出す。
【００５４】
ステップＳ８０５では、マウスカーソル４０が置かれているファイル名の全文字数を取得する。
【００５５】
ステップＳ８０６では、マウスカーソル４０が置かれている文字をファイル名の頭から数えたときの番号ｎを取得する。
【００５６】
ステップＳ８０７では、ツールチップ４１に表示する文字列を作成し、表示する。
【００５７】
ステップＳ８０８では、ステップＳ８０４でプロセッサ１１から読み出した処理内容をサムネールで表示可能か否かを判断する。表示可能でないとき、処理はステップＳ８１０に進み、表示可能であるとき、処理はステップＳ８０９に進む。サムネールで表示可能でない処理は、例えば音声ファイルに対する処理や、画像ファイルの音声に対する処理である。
【００５８】
ステップＳ８０９では、ステップＳ８０４でプロセッサ１１から読み出した処理内容及び程度に応じた処理を施したサムネールを作成する。そして、今まで表示されていたサムネールに代えて、新たに作成されたサムネールを表示装置１２に表示する。
【００５９】
ステップＳ８１０では、ファイル名がダブルクリックされたか否かを判断する。ダブルクリックされたとき、処理はステップＳ８１１に進み、されないときはステップＳ８０６に戻る。
【００６０】
ステップＳ８１１では、画像編集ソフトウェアを起動して、ダブルクリックしたファイル名と処理の内容および程度を画像編集ソフトウェアに渡す。そしてステップＳ８０１に戻る。
【００６１】
本実施形態によれば、サムネールに処理後の画像を表示することにより、処理結果をユーザが容易に認知することができる。
【００６２】
次に、第２の実施形態について図９から１３を用いて説明する。第１の実施形態と同様の構成については同じ番号を付して説明を省略する。
【００６３】
図９は、表示装置１２に表示された第２のフォルダウィンドウ９０である。本実施形態におけるフォルダペイン２２は、静止画像と静止画像のファイル情報を表示する。図９に示すフォルダペイン２２は、第３の静止画像９２と第３のファイル情報９３、及び第４の静止画像９４と第４のファイル情報９５を表示する。第３の静止画像９２は第３の静止画ファイルのサムネールであり、第３のファイル情報９３は、第３の静止画ファイルのファイル情報である。第４の静止画像９４は第４の静止画ファイルのサムネールであり、第４のファイル情報９５は、第４の静止画ファイルのファイル情報である。ファイル情報は、ファイル名、ファイルの種別、ファイルサイズ、ファイルの作成日、そしてファイルの修正日を含む。フォルダペイン２２の幅はＷピクセル、高さは２・Ｈピクセルであり、高さ方向に二等分される。幅Ｗピクセル、高さＨピクセルの領域に１つの静止画像とファイル情報とが表示される。第３の静止画像９２と第３のファイル情報９３が表示される領域を第３の表示領域９６、第４の静止画像９４と第４のファイル情報９５が表示される領域を第４の表示領域９７という。
【００６４】
本実施形態における第２のオンマウス処理は、第３の表示領域９６及び第４の表示領域９７内におけるマウスカーソル４０の位置に応じて処理を行う。すなわち、第３の表示領域９６内における幅方向における位置に応じて明るさを変更し、高さ方向における位置に応じてコントラストを変更する。図１０において第３の表示領域９６の左上を原点とし、原点から幅方向にｘピクセル、高さ方向にｙピクセルの位置にマウスカーソル４０がある場合、第３の静止画像９２の明るさは（ｘ−Ｗ／２−１）／（Ｗ−１）・１００、コントラストは（ｙ−Ｈ／２−１）／（Ｈ−１）・１００に変更され、変更されたサムネールが第３の静止画像９２の代わりに表示される。ここで、明るさ及びコントラストの最大値は１００に設定され、処理特性は線形増加に設定されている。
【００６５】
他方、コントロールキーを押し下げた場合、第２のオンマウス処理は、第３の表示領域９６内における幅方向における位置に応じて赤色のカラーバランスを変更し、高さ方向における位置に応じて青色のカラーバランスを変更する。このときに用いられるコントロールキーを切替用修飾キーとよぶ。第３の静止画像９２における赤色のカラーバランスは（ｘ−Ｗ／２−１）／（Ｗ−１）・１００、青色のカラーバランスは（ｙ−Ｈ／２−１）／（Ｈ−１）・１００に変更され、変更されたサムネールが第３の静止画像９２の代わりに表示される。ここで、赤色及び青色のカラーバランスの最大値は１００に設定され、処理特性は線形増加に設定されている。
【００６６】
処理の内容及び程度を定める第２の設定ウィンドウ１００について図１０を用いて説明する。
【００６７】
図１０は、第２の設定ウィンドウ１００を示す。第２の設定ウィンドウ１００は、静止画ファイル、音声ファイル、動画ファイル、及び文書ファイルに対応する４つのタブを有する。各タブは、ファイルの種別に応じた処理の内容及び程度を表示する。
【００６８】
静止画ファイルにおける処理の内容及び程度について説明する。処理の内容及び程度は、マウスカーソル４０の幅方向、高さ方向、そしてコントロールキーを押し下げたときのマウスカーソル４０の幅方向、高さ方向ごとに設定可能である。
【００６９】
幅方向に対するマウスカーソル４０の位置に応じて実行する処理の内容は、第１の幅方向設定領域１０５内に表示され、高さ方向に対するマウスカーソル４０の位置に応じて実行する処理の内容は、第１の高さ方向設定領域１０６内に表示される。そして、コントロールキーを押し下げたときの幅方向に対するマウスカーソル位置に応じて実行する処理の内容は、第２の幅方向設定領域１０７内に表示され、コントロールキーを押し下げたときの高さ方向に対するマウスカーソル位置に応じて実行する処理の内容は、第２の高さ方向設定領域１０６内に表示される。これらの設定領域に表示される処理の内容は、第１の実施形態における静止画ファイルの処理の内容と同様であるため、説明を省略する。
【００７０】
また、各設定領域の下に、最大値テキストボックス６２及び特性選択ラジオボタン６３が設けられる。これらを用いて、処理の内容に応じた処理の程度をユーザ１８が入力する。
【００７１】
次に、第３の静止画像９２に対して行う処理について説明する。第２の設定ウィンドウにおいて、第１の幅方向設定領域１０５では「明るさ」が選択され、第１の高さ方向設定領域１０６では「コントラスト」が選択され、第２の幅方向設定領域１０７では「カラーバランス・赤」が選択され、第２の高さ方向設定領域１０６では「カラーバランス・青」が選択されているとする。
【００７２】
ユーザ１８がマウスカーソル４０を第３の表示領域９６の中央に合わせる。このとき、第３の静止画像９２に処理は施されない。次に、ユーザ１８がマウスカーソル４０を左右に移動させると、マウスカーソル４０の位置に応じて第３の静止画像９２の明るさが変化する。そこで、ユーザ１８は、第３の静止画像９２の明るさを確認しながら、所望の明るさとなるまで、マウスカーソル４０を左右に移動させる。第３の静止画像９２が所望の明るさになったら、ユーザ１８はマウスカーソル４０を高さ方向に移動させる。すると、マウスカーソル４０の高さ方向に対する位置に応じて、第３の静止画像９２のコントラストが変化する。そこで、ユーザ１８は、第３の静止画像９２のコントラストを確認しながら、所望のコントラストになるまでマウスカーソル４０を高さ方向に移動させる。
【００７３】
これにより、所望の明るさ及びコントラストの画像をユーザ１８が容易に観察できる。このとき、左右及び高さ方向に同時にマウスカーソル４０を移動させ、明るさとコントラストとを同時に調整することも可能である。
【００７４】
所望の明るさ及びコントラストの静止画像を得たとき、ユーザ１８は画像編集ソフトウェアを起動して、静止画像を編集することが可能である。すなわち、第３の静止画像９２が所望の明るさ及びコントラストとなったとき、マウス１３をダブルクリックする。これにより、画像編集ソフトウェアが起動し、所望の明るさ及びコントラストの第３の静止画像９２が画像ペイン５３に表示される。そして、編集履歴ペイン５４には、「ファイルオープン」、「明るさ  ＋１６」、及び「コントラスト  −１９」が表示される（図１１参照）。「明るさ  ＋１６」は、第３の静止画像９２を見ながらユーザ１８が調整した明るさの値を示し、「コントラスト  −１９」は、第３の静止画像９２を見ながらユーザ１８が調整したコントラストの値を示す。
【００７５】
他方、コントロールキーを押し下げながら、マウスカーソル４０を第３の表示領域９６内でユーザ１８が動かしたとき、ユーザ１８は、マウスカーソル４０の位置に応じて赤色及び青色のカラーバランスが即時に変更された第３の静止画像９２を見ながら、「カラーバランス・赤」及び「カラーバランス・青」を決定できる。「明るさ」及び「コントラスト」を調整した後に、コントロールキーを押し下げて「カラーバランス・赤」及び「カラーバランス・青」を調整した場合、画像編集ソフトウェアの編集履歴ペイン５４は図１２に示すものとなる。
【００７６】
次に、第２のオンマウス処理について図１３を用いて説明する。ステップＳ８０１からＳ８０４の処理については第１のオンマウス処理と同様であるため、説明を省略する。
【００７７】
ステップＳ８２１では、表示領域の幅及び高さを取得する。幅及び高さの単位はピクセルである。幅をＷに代入し、高さをＨに代入する。
【００７８】
ステップＳ８２２では、切替用修飾キーが押し下げられているか否かを判断する。押し下げられている場合、処理はステップＳ８２３に進む。押し下げられていない場合、処理はステップＳ８２４に進む。
【００７９】
ステップＳ８２３では、表示領域内におけるマウスカーソル４０の位置を取得する。幅方向におけるマウスカーソル４０の位置をｘ１に代入し、高さ方向におけるマウスカーソル４０の位置をｙ１に代入する。そして、ステップＳ８０７に進む。
【００８０】
ステップＳ８２４では、ステップＳ８２３と同様に、表示領域内におけるマウスカーソル４０の位置を取得する。幅方向におけるマウスカーソル４０の位置をｘ２に代入し、高さ方向におけるマウスカーソル４０の位置をｙ２に代入する。そして、ステップＳ８０７に進む。
【００８１】
ステップＳ８０７及びＳ８０８における処理については第１のオンマウス処理と同様であるため、説明を省略する。
【００８２】
ステップＳ８２５では、ステップＳ８２３及びＳ８２４で得られたｘ１、ｙ１、ｘ２、ｙ２の値と、ステップＳ８０４でプロセッサ１１から読み出した処理内容及び程度とを用いて、所定の処理を施したサムネールを作成する。そして、今まで表示されていたサムネールに代えて、新たに作成されたサムネールを表示装置１２に表示する。
【００８３】
その後、ステップＳ８１０及びＳ８１１を実行する。ステップＳ８１０及びＳ８１１における処理については第１のオンマウス処理と同様であるため、説明を省略する。
【００８４】
本実施形態によれば、２つの処理を同時に施した画像をユーザ１８が一度に確認することができる。
【００８５】
なお、図２に示す第１の静止画像３１又は第２の静止画像３３の表示領域内におけるマウスカーソル４０の位置に応じて処理の内容を変更しても良い。すなわち、表示領域内におけるマウスカーソル４０の幅方向位置及び高さ方向位置に応じて、処理の内容を変更する。
【００８６】
次に、第３の実施形態について図１４から１６を用いて説明する。第１の実施形態と同様の構成については同じ番号を付して説明を省略する。他の実施形態におけるファイルが、本実施形態におけるフォルダに相当する。
【００８７】
図１４に示す第１のフォルダウィンドウ２０は、複数のフォルダアイコンを表示する。
【００８８】
フォルダアイコンは、フォルダペイン２２に表示される。図１４に示すフォルダペイン２２は、第１のフォルダアイコン１４１と第２のフォルダアイコン１４２を表示する。第１のフォルダアイコン１４１は第１のフォルダを表すアイコンであって、その直下には、第１のフォルダの名称を表す第１のフォルダ名１４３が表示される。第２のフォルダアイコン１４２は第２のフォルダを表すアイコンであって、その直下には、第２のフォルダの名称を表す第２のフォルダ名１４４が表示される。
【００８９】
ユーザ１８がマウス１３を用いて第１のフォルダ名１４３の上にマウスカーソル４０を移動させると、ユーザ１８が予め定めた第３の設定に従って第１のフォルダが開かれる（図１５参照）。第３の設定については、後述する。
【００９０】
第３の設定が、フォルダを開いたときに表示するフォルダ内の部位を変更する設定であるとき、第１のフォルダ名１４３におけるマウスカーソル４０の位置に応じて、表示する部分が変更される。マウスカーソル４０が第１のフォルダ名１４３の「ｓ」に置かれているとき、フォルダ内の最も先頭部分を表示する。マウスカーソル４０が第１のフォルダ名１４３の「ｐ」に置かれているとき、フォルダペイン２２内の中央部分を表示する（図１５参照）。
【００９１】
次に、図１６を用いて、第３の設定を定める第３の設定ウィンドウ１６０について説明する。
【００９２】
ユーザ１８が所定の動作を行うと、第３の設定ウィンドウ１６０が表示装置１２に表示される。第３の設定ウィンドウ１６０は、静止画、音声、動画、及びフォルダに対する処理の内容及び程度を表示する。静止画、音声、及び動画に対する処理は第１の実施形態と同様であるため、説明を省略する。
【００９３】
フォルダにおける処理の内容及び程度について説明する。処理の内容は、「縦スクロール」、「横スクロール」、「アイコンサイズ」、「フォントサイズ」、「表示形式」、及び「ソート種別」である。「縦スクロール」は、フォルダを開いたときに表示するフォルダ内の部位を変更する処理である。開かれたフォルダを表示するウィンドウには、縦スクロールバー２３が設けられる。この縦スクロールバー２３における縦スクロールボックス２６の位置を変更する処理である。「横スクロール」は、フォルダを開いたときに表示するフォルダ内の部位を変更する処理である。開かれたフォルダを表示するウィンドウには、横スクロールバーが設けられる。この横スクロールバーにおける横スクロールボックスの位置を変更する処理である。「アイコンサイズ」は、フォルダを開いたときに表示するアイコンの大きさを変更する処理である。「フォントサイズ」は、フォルダを開いたときに表示するファイル名のフォントサイズを変更する処理である。「表示形式」は、開かれたフォルダが有するオブジェクトの表示形式を変更する処理である。表示形式には、詳細表示、アイコン表示、一覧表示、縮小表示がある。詳細表示は、ファイル名、ファイルサイズ、ファイルの種類、作成日時、更新日時、及びファイル属性などを一覧にして表示する表示形式である。アイコン表示は、オブジェクトをアイコンで表示する表示形式である。一覧表示は、アイコンとファイル名とを並べて表示する。縮小表示は、オブジェクトの内容をサムネールで表示する表示形式である。「ソート種別」は、ソートの規則を変更する処理である。ソートの規則には、ファイルサイズ昇順、降順、アルファベット昇順、降順、更新日時昇順、降順などがある。
【００９４】
処理の程度は、最大値と処理特性によって決定される。ユーザ１８は最大値テキストボックス６２に所望の最大値を入力する。「縦スクロール」及び「横スクロール」における最大値の単位は％、「アイコンサイズ」における最大値の単位はピクセル、そして「フォントサイズ」における最大値の単位はポイントである。「表示形式」及び「ソート種別」に関しては、最大値は用いられない。
【００９５】
本実施形態によれば、大量のファイルを含むフォルダを開くときに、任意の場所又は形式でファイルを表示できる。そのため、ユーザ１８が迅速にフォルダの内容を知ることができる。
【００９６】
なお、ペインは静止画ファイルだけでなく、音声ファイル、動画ファイル、及び文書ファイルを表示しても良い。
【００９７】
また、ツールチップ４１は処理の程度だけでなく、内容及び程度、あるいは内容のみを表示しても良い。ここで内容とは、第１の設定における「回転」、「ボリューム」などを指す。
【００９８】
キャンセル用修飾キーはシフトキーに限定されず、コントロールキーなどであっても良い。
【００９９】
第１のオンマウス処理の対象は、静止画ファイル、音声ファイル、動画ファイル、及び文書ファイルに限定されない。第１の設定において他のファイル形式に対する処理手段を定め、それに従って処理を実行しうる。
【０１００】
処理変更用修飾キーはコントロールキーに限定されず、シフトキーなどであっても良い。
【０１０１】
原点は、第３及び第４の領域の左上でなくても良い。第３及び第４の領域の中央、右下、左下、右上、あるいは任意の点であっても良い。
【０１０２】
回転動作による入力手段、例えばスクロールホイールを備えたマウスがプロセッサに接続されている場合、マウスの左右方向に対する移動（表示領域内における幅方向に対するマウスカーソルの移動）、及び／又はマウスの上下方向に対する移動（表示領域内における高さ方向に対するマウスカーソルの移動）に加えて、スクロールホイールの回転を用いて、マウスの移動に割り当てられた処理とは異なる処理を行っても良い。これにより、２つ以上の処理を同時に施した画像をユーザ１８が一度に確認することができる。さらに、スクロールホイールの回転のみを用いて、処理を行っても良い。
【符号の説明】
【０１０３】
１０  データ処理装置
１１  プロセッサ
１２  表示装置
１３  マウス
１４  キーボード
１８  ユーザ
２０  第１のフォルダウィンドウ
２１  第１のタイトルバー
２２  フォルダペイン
２３  縦スクロールバー
２４  フォルダタイトル
２５  クローズボックス
２６  縦スクロールボックス
２７  上スクロールアロー
２８  下スクロールアロー
３１  第１の静止画像
３２  第１のファイル名
３３  第２の静止画像
３４  第２のファイル名
４０  マウスカーソル
４１  ツールチップ
５０  編集ウィンドウ
５１  第２のタイトルバー
５２  メニューバー
５３  画像ペイン
５４  編集履歴ペイン
５５  画像タイトル
５５  履歴スライダ
６０  第１の設定ウィンドウ
６１  内容選択ラジオボタン
６２  最大値テキストボックス
６３  特性選択ラジオボタン
６４  ＯＫボタン
６５  キャンセルボタン
９０  第２のフォルダウィンドウ
９１  第３の静止画像
９４  第４の静止画像
９６  第３の表示領域
９７  第４の表示領域
１００  第２の設定ウィンドウ
１０５  第１の幅方向設定領域
１０６  方向設定領域
１０７  第２の幅方向設定領域
１４１  第１のフォルダアイコン
１４２  第２のフォルダアイコン
１４３  第１のフォルダ名
１４４  第２のフォルダ名
１６０  第３の設定ウィンドウ
【図１】
2011170780.tif 000003
【図２】
2011170780.tif 000004
【図３】
2011170780.tif 000005
【図４】
2011170780.tif 000006
【図５】
2011170780.tif 000007
【図６】
2011170780.tif 000008
【図７】
2011170780.tif 000009
【図８】
2011170780.tif 000010
【図９】
2011170780.tif 000011
【図１０】
2011170780.tif 000012
【図１１】
2011170780.tif 000013
【図１２】
2011170780.tif 000014
【図１３】
2011170780.tif 000015
【図１４】
2011170780.tif 000016
【図１５】
2011170780.tif 000017
【図１６】
2011170780.tif 000018